(57)【要約】【課題】ドライバＩＣから赤色用、緑色用、及び青色用の液晶装置までの配線長が異なる場合でも、書き込み特性差を低減する。【解決手段】アンプ３７に、赤色画像信号Ｒ４を増幅するアンプ３７Ｒと、緑色画像信号Ｇ４を増幅するアンプ３７Ｇと、青色画像信号Ｂ４を増幅するアンプ３７Ｂとを備え、アンプ３７Ｒ，アンプ３７Ｇ，及びアンプ３７Ｂのそれぞれには、設定部３９に記憶されたレジスタ値に応じて、デジタルスイッチにより、並列接続する個数を変更可能な第１アンプ，第２アンプ，及び第３アンプを備える。アンプ３７Ｒ，アンプ３７Ｇ，及びアンプ３７Ｂのそれぞれから、各色の液晶ライトバルブまでの配線長に応じて設定部３９に記憶させるレジスタ値を変更し、配線長に応じてアンプ３７Ｒ，アンプ３７Ｇ，及びアンプ３７Ｂのそれぞれの駆動能力を調整する。【選択図】図７
2015219473.tif 000002
【特許請求の範囲】
【請求項１】
赤色、緑色、及び青色の各色に対応した表示部と、
赤色、緑色、及び青色の各色に対応した画像信号を処理する画像信号処理部と、
前記画像信号処理部によって処理された前記各色に対応した画像信号を前記表示部に出力する回路が一つのモールド内に収容された駆動部と、を備え、
前記駆動部から前記各色に対応した表示部までの配線長がそれぞれ異なり、
前記駆動部は、前記各色に対応した画像信号を出力するアンプをそれぞれ備え、
各アンプの駆動能力が前記配線長に応じてそれぞれ異なる、
ことを特徴とする電気光学装置。
【請求項２】
前記駆動能力をアンプごとに調整する調整部を備える、
ことを特徴とする請求項１に記載の電気光学装置。
【請求項３】
前記調整部における調整値を設定する設定部を備える、
ことを特徴とする請求項２に記載の電気光学装置。
【請求項４】
前記各色に対応した画像信号を出力するアンプは、並列接続される複数のアンプを備え、並列接続されるアンプの個数により前記駆動能力が異なっている、
ことを特徴とする請求項１乃至請求項３のいずれか１項に記載の電気光学装置。
【請求項５】
赤色、緑色、及び青色の各色に対応した画像信号を処理し、
前記処理された前記各色に対応した画像信号を表示部に出力し、
前記各色に対応した画像信号を出力するアンプのそれぞれの駆動能力を、前記アンプから前記表示部までの配線長に応じてそれぞれ異ならせる、
ことを特徴とする電気光学装置の駆動方法。
【請求項６】
請求項１乃至請求項４のいずれか１項に記載の電気光学装置を備えることを特徴とする電子機器。
【発明の詳細な説明】
【技術分野】
【０００１】
本発明は、例えば液晶装置等の電気光学装置、電気光学装置の駆動方法、及び、該電気光学装置を備えて構成される例えば液晶プロジェクタ等の電子機器の技術分野に関する。
【背景技術】
【０００２】
高圧水銀ランプや、メタルハライドランプなどの放電ランプを光源とし、光源が発する光を、光変調装置により画像信号に応じて変調し、変調された変調光により表される画像を拡大投写するプロジェクタが知られている。このようなプロジェクタの光変調装置としては、自然な色合いで鮮やかな画像が得られる透過式の液晶表示装置である液晶ライトバルブや、反射型の液晶表示装置などが多く用いられている。
【０００３】
プロジェクタには、赤色光用の液晶ライトバルブ、緑色光用の液晶ライトバルブ、及び青色光用の液晶ライトバルブの３個の液晶ライトバルブが用いられ、それぞれの液晶ライトバルブをドライバＩＣにより駆動している。また、液晶プロジェクタ毎の色バランスのばらつきを低減させるために、赤色用、緑色用、及び青色用の各液晶パネルの駆動電圧を調整する技術も提案されている（例えば、特許文献１）。
【先行技術文献】
【特許文献】
【０００４】
【特許文献１】特開２００５−２２７５７７号公報
【発明の概要】
【発明が解決しようとする課題】
【０００５】
しかしながら、特許文献１においては、ドライバＩＣの出力からそれぞれの液晶ライトバルブへの配線長が考慮されていない。理想的にはドライバＩＣの出力からそれぞれの液晶ライトバルブへは等長配線にすることが好ましいが、実際には基板の各種制約により配線長は異なるケースが多い。この場合、各配線の負荷が異なるため、それぞれの液晶ライトバルブを同じ駆動能力のアンプで動作させた場合、書き込み特性等がそれぞれの液晶ライトバルブで変わってしまうことがある。
【０００６】
本発明は、上述した事情に鑑みてなされたものであり、ドライバＩＣから赤色用、緑色用、及び青色用の液晶装置までの配線長が異なる場合でも、アンプごとの駆動能力の調整が可能な電気光学装置、電気光学装置の制御方法、及び電気光学装置を備えた電子機器を提供することを目的とする。
【課題を解決するための手段】
【０００７】
上記課題を解決するために本発明の電気光学装置は、赤色、緑色、及び青色の各色に対応した表示部と、赤色、緑色、及び青色の各色に対応した画像信号を処理する画像信号処理部と、前記画像信号処理部によって処理された前記各色に対応した画像信号を前記表示部に出力する回路が一つのモールド内に収容された駆動部と、を備え、前記駆動部から前記各色に対応した表示部までの配線長がそれぞれ異なり、前記駆動部は、前記各色に対応した画像信号を出力するアンプをそれぞれ備え、各アンプの駆動能力が前記配線長に応じてそれぞれ異なることを特徴とする。
【０００８】
本発明によれば、画像信号処理部は、赤色、緑色、及び青色の各色に対応した画像信号を処理し、駆動部は、画像信号処理部によって処理された各色に対応した画像信号を表示部に出力する。駆動部から各色に対応した表示部までの配線長がそれぞれ異なる場合、駆動部における各アンプの駆動能力は前記配線長に応じてそれぞれ異なる。その結果、各アンプのスルーレートが前記配線長に応じて調整され、書き込み特性差が低減される。
【０００９】
上述した電気光学装置において、前記駆動能力をアンプごとに調整する調整部を備えるようにしてもよい。この場合には、調整部によってアンプごとの駆動能力の調整が可能なので、汎用的にアンプごとの書き込み特性差を低減させることができる。
【００１０】
上述した電気光学装置において、前記調整部における調整値を設定する設定部を備えるようにしてもよい。この場合には、設定部によって調整部における調整値を設定するので、アンプごとの駆動能力の調整が容易となる。
【００１１】
上述した電気光学装置において、前記各色に対応した画像信号を出力するアンプは、並列接続される複数のアンプを備え、並列接続されるアンプの個数により前記駆動能力が異なっているようにしてもよい。この場合には、簡易な構成により、アンプごとの駆動能力の調整が容易となる。
【００１２】
上記課題を解決するために本発明の電気光学装置の駆動方法は、赤色、緑色、及び青色の各色に対応した画像信号を処理し、前記処理された前記各色に対応した画像信号を表示部に出力し、前記各色に対応した画像信号を出力するアンプのそれぞれの駆動能力を、前記アンプから前記表示部までの配線長に応じてそれぞれ異ならせることを特徴とする。
【００１３】
次に、本発明に係る電子機器は、上述した本発明に係る電気光学装置を備える。そのような電子機器は、液晶ライトバルブ等の表示部を光変調装置として駆動部により駆動する場合でも、光変調装置ごとの書き込み特性差を低減させ、色バランスのばらつき等を低減させることができる。
【図面の簡単な説明】
【００１４】
【図１】本発明の実施形態に係る電気光学装置の回路のブロック構成を主体とした概略構成図である。
【図２】同実施形態に係る液晶ライトバルブの構成を示すブロック図である。
【図３】同実施形態に係る画像表示領域の構成を示す模式図である。
【図４】同実施形態に係るデータ線駆動回路の構成を示すブロック図である。
【図５】同実施形態に係る走査線駆動回路とデータ線駆動回路の動作を示すタイミングチャートである。
【図６】同実施形態に係る電子機器の光学系の構成を示す模式図である。
【図７】同実施形態に係るドライバＩＣのアンプの構成を示すブロック図である。
【図８】同実施形態に係るアンプの構成を示す回路図である。
【図９】同実施形態に係る電気光学装置の回路を搭載した回路基板の平面図である。
【図１０】液晶ライトバルブにおける画像信号の立ち上がり時間と立ち下り時間を示すタイミングチャートである。
【図１１】液晶ライトバルブにおける画像信号のセトリング時間を示すタイミングチャートである。
【図１２】液晶ライトバルブにおける画像信号の入力と出力の関係を示すタイミングチャートである。
【発明を実施するための形態】
【００１５】
以下、この発明の好適な実施の形態を、添付図面等を参照しながら詳細に説明する。以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
＜電気光学装置の概略構成＞
図１は、本発明の実施形態における電気光学装置の回路のブロック構成を主体とした概略構成図である。ここでは、電気光学装置１００の回路ブロック構成の概要について説明する。
本実施形態の電気光学装置１００は、電子機器の一例としての液晶３板式プロジェクタに用いられる。液晶３板式プロジェクタは、放電ランプ（図示せず）からの光を、赤色（Ｒ）光、緑色（Ｇ）光、青色（Ｂ）光の光３原色成分に分離し、色光ごとに光変調装置としての各色光用の液晶ライトバルブ２８Ｒ，２８Ｇ，２８Ｂにより画像信号に応じて変調し、再度合成したフルカラーの変調光を拡大投写するプロジェクタである。
【００１６】
電気光学装置１００は、画像信号処理部１０、制御部１１、記憶部１２、電源部１３、駆動部としてのドライバＩＣ３０、及び表示部としての液晶ライトバルブ２８Ｒ，２８Ｇ，２８Ｂを備えている。
制御部１１は、ＣＰＵ（Central Processing Unit）であり、画像信号処理部１０の各部とバスラインＢｕｓを介して信号のやり取りを行い、電気光学装置１００の動作を制御する。
記憶部１２は、例えば、マスクＲＯＭや、フラッシュメモリ、ＦｅＲＡＭなどの不揮発性のメモリにより構成されている。記憶部１２には、電気光学装置１００を起動させるための順序と内容を規定した起動プログラムなどの当該プロジェクタの動作を制御するための様々なプログラムおよび付随するデータが記憶されている。
電源部１３は、外部電源９０からの交流電力をインレットから導き、内蔵するＡＣ／ＤＣ変換部（いずれも図示せず）にて変圧、整流および平滑するなどの処理を施すことにより安定化させた電力を電気光学装置１００の各部に供給する。
【００１７】
画像信号処理部１０は、クロック生成部１４、画像信号コンバータ１６、フレームメモリ１８、画像信号補正部２０、タイミング生成部２１、及びＯＳＤメモリ２２を備えている。
クロック生成部１４は、例えば、水晶発振子を含むオーバートーン発振回路であり、高速の源発振クロックをタイミング生成部２１などに供給する。クロック生成部１４には、ＰＬＬ（Phase Locked Loop）１４ａが含まれており、例えば、同期信号ＳＹＮＣの水平同期周波数を逓倍したサンプリングクロックＳＣＬＫを生成して画像信号コンバータ１６に出力する。なお、クロック生成部１４は、画像信号コンバータ１６に含まれる構成であっても良い。
画像信号コンバータ１６は、例えば、パーソナルコンピュータなどの画像信号供給装置８０から入力されるアナログＲＧＢ信号を赤色画像信号Ｒ１，緑色画像信号Ｇ１，青色画像信号Ｂ１ごとにＡＤ変換するための３チャンネルのＡＤ変換回路（図示せず）を含んで構成されている。なお、アナログ画像信号は、ＲＧＢ信号に限定するものではなく、例えば、YUV，Y/Pb/Pr，Y/Cb/Cr，Y/R-Y/B-Yなどの形式で表されるコンポーネント信号であっても良い。
画像信号コンバータ１６は、スケーラ１６ａを備えており、クロック生成部１４から供給されるサンプリングクロックＳＣＬＫに沿ってＡＤ変換を行い、生成したデジタル各色画像信号をスケーラ１６ａに出力する。画像信号コンバータ１６にはフレームメモリ１８が付属している。フレームメモリ１８は、例えば、ＤＲＡＭ（Dynamic Random Access Memory）により構成された、ＲＧＢの各色光の色画像信号による画像データを記憶する３枚のメモリプレーンである。スケーラ１６ａは、デジタル各色画像信号により表される画像を、当該各色画像信号の持つ解像度でＲＧＢの色光ごとにフレームメモリ１８に書き込み、液晶ライトバルブ２８Ｒ，２８Ｇ，２８Ｂにて表示可能な解像度に変換して読み出すことにより、赤色画像信号Ｒ２，緑色画像信号Ｇ２，青色画像信号Ｂ２を生成する。また、スクリーンに投写された有効画像の形状を矩形に近づけるための台形補正処理も、スケーリングと合せて行われる。
【００１８】
タイミング生成部２１は、タイミングジェネレータであり、入力されるクロック生成部１４の源発振クロック、およびＰＬＬ１４ａの同期信号ＳＹＮＣから、動作クロックである基準クロックＣＬＫ及び複数のタイミング制御信号を生成し、ドライバＩＣ３０に供給する。タイミング制御信号は、液晶ライトバルブ２８Ｒ用のタイミング制御信号ＲＴ１，液晶ライトバルブ２８Ｇ用のタイミング制御信号ＧＴ１，液晶ライトバルブ２８Ｂ用のタイミング制御信号ＢＴ１を含んでいる。タイミング制御信号ＲＴ１，ＧＴ１，ＢＴ１は、それぞれ液晶ライトバルブ２８Ｒ，２８Ｇ，２８Ｂ用のＸ転送開始パルスＤＸ、Ｘクロック信号ＸＣＫ、Ｙ転送開始パルスＤＹ及びＹクロック信号ＹＣＫを含んでいる。
【００１９】
画像信号補正部２０は、１Ｄ（Dimension）−ＬＵＴ、および３Ｄ−ＬＵＴを備えており、タイミング生成部２１から供給される基準クロックＣＬＫに同期したタイミングで赤色画像信号Ｒ２，緑色画像信号Ｇ２，青色画像信号Ｂ２に画像処理を施す。具体的な画像処理内容は、１Ｄ−ＬＵＴによる液晶ライトバルブ２８Ｒ，２８Ｇ，２８ＢごとのＶＴ特性（印加電圧と、透過率との特性）を補正するγ補正や、３Ｄ−ＬＵＴによる当該液晶ライトバルブごとの固有の色むらを補正する色むら補正および色域補正などである。
また、高解像度の各液晶ライトバルブ２８Ｒ，２８Ｇ，２８Ｂへ画像信号を確実に書き込むために、シリアルデータの色画像信号を複数相のパラレルデータに変換する相展開処理も画像信号補正部２０にて行われる。なお、電気光学装置１００では、各色画像信号を１２相展開している。
【００２０】
また、画像信号補正部２０は、ＯＳＤメモリ２２から画像調整の設定画面などを読み出し、読み出した設定画面を画像信号に重畳させるＯＳＤ（On Screen Display）機能を司る。ＯＳＤメモリ２２には、前記画像調整の設定画面に加えて、電気光学装置１００を操作するための様々な操作メニュー画面や、入力している画像ソース名を表す「コンピュータ」などの状態表示情報などが記憶されている。
画像信号補正部２０は、このような画像処理が施された各色画像信号Ｒ３，Ｇ３，Ｂ３を出力する。
なお、電気光学装置１００では、スケーラ１６ａを含む画像信号コンバータ１６および画像信号補正部２０を、１チップのビデオプロセッサＩＣとして構成している。また、当該ビデオプロセッサＩＣに、制御部１１の機能を持たせる構成としても良い。これらの構成によれば、各部を１チップＩＣに収められることから、部品点数および実装面積を大幅に低減することができる。
以上のように、画像信号処理部１０は、赤色、緑色、及び青色の各色に対応した画像信号を処理する画像信号処理部として機能する。
【００２１】
ドライバＩＣ３０は、ＤＡＣ３４Ｒ，３４Ｇ，３４Ｂと、タイミング調整部３５Ｒ，３５Ｇ，３５Ｂと、レベルシフト（Ｌ／Ｓ）部３６Ｒ，３６Ｇ，３６Ｂと、アンプ３７，３８を備えている。ドライバＩＣ３０は、１チップのドライバＩＣとして構成している。この構成によれば、各部を１チップＩＣに収められることから、部品点数および実装面積を大幅に低減することができる。
ＤＡＣ３４Ｒは、赤色画像信号Ｒ３に対応するＤＡコンバータであり、入力される基準クロックＣＬＫを動作クロックとしてデジタル赤色画像信号Ｒ３をＤＡ変換し、生成したアナログ赤色画像信号Ｒ４をアンプ３７に出力する。
ＤＡＣ２７Ｇは、緑色画像信号Ｇ３に対応するＤＡコンバータであり、入力される基準クロックＣＬＫを動作クロックとしてデジタル緑色画像信号Ｇ３をＤＡ変換し、生成したアナログ緑色画像信号Ｇ４をアンプ３７に出力する。
ＤＡＣ２７Ｂは、青色画像信号Ｂ３に対応するＤＡコンバータであり、入力される基準クロックＣＬＫを動作クロックとしてデジタル青色画像信号Ｂ３をＤＡ変換し、生成したアナログ青色画像信号Ｂ４をアンプ３７に出力する。
【００２２】
タイミング調整部３５Ｒ，３５Ｇ，３５Ｂは、タイミング生成部２１から出力されたタイミング制御信号ＲＴ１，ＧＴ１，ＢＴ１のタイミングの微調整を行い、タイミング制御信号ＲＴ２，ＧＴ２，ＢＴ２としてレベルシフト（Ｌ／Ｓ）部３６Ｒ，３６Ｇ，３６Ｂに出力する。
レベルシフト（Ｌ／Ｓ）部３６Ｒ，３６Ｇ，３６Ｂは、タイミング調整部３５Ｒ，３５Ｇ，３５Ｂから出力されるタイミング制御信号ＲＴ２，ＧＴ２，ＢＴ２の電圧をアナログ回路の電圧までシフトさせ、タイミング制御信号ＲＴ３，ＧＴ３，ＢＴ３としてアンプ３８に出力する。
【００２３】
アンプ３７は、ＤＡＣ３４Ｒ，ＤＡＣ３４Ｇ，ＤＡＣ３４Ｂから出力されるアナログ赤色画像信号Ｒ４，アナログ赤色画像信号Ｇ４，アナログ青色画像信号Ｂ４のそれぞれに対応するアンプを備えており、各色画像信号を増幅して液晶ライトバルブ２８Ｒ，液晶ライトバルブ２８Ｇ，液晶ライトバルブ２８Ｂに出力する。アナログ赤色画像信号Ｒ４，アナログ赤色画像信号Ｇ４，アナログ青色画像信号Ｂ４のそれぞれに対応するアンプの駆動能力は、ドライバＩＣ３０から液晶ライトバルブ２８Ｒ，液晶ライトバルブ２８Ｇ，液晶ライトバルブ２８Ｂへの配線長に応じて選択可能になっている。詳しくは後述する。
【００２４】
アンプ３８は、レベルシフト（Ｌ／Ｓ）部３６Ｒ，３６Ｇ，３６Ｂから出力されるタイミング制御信号ＲＴ３，ＧＴ３，ＢＴ３を増幅して液晶ライトバルブ２８Ｒ，液晶ライトバルブ２８Ｇ，液晶ライトバルブ２８Ｂに出力する。
【００２５】
光変調装置である液晶ライトバルブ２８Ｒ，２８Ｇ，２８Ｂは、画素電極およびこれを駆動するための薄膜トランジスタ素子や薄膜ダイオード等のスイッチング素子が格子状に形成されたベース基板と、全面に渡って共通電極が形成された対向基板との間にＴＮ型液晶を挟み込んだ構成を持つアクティブマトリクス型の液晶表示装置である。液晶ライトバルブ２８Ｒ，２８Ｇ，２８Ｂは、それぞれアナログ赤色画像信号Ｒ４，アナログ赤色画像信号Ｇ４，アナログ青色画像信号Ｂ４に応じて変調を行う。したがって、液晶ライトバルブ２８Ｒ，２８Ｇ，２８Ｂは、赤色、緑色、及び青色の各色に対応した表示部として機能する。
【００２６】
図２に液晶ライトバルブ２８Ｒの構成を示す。なお、液晶ライトバルブ２８Ｇ及び液晶ライトバルブ２８Ｂも同様の構成なので、ここでは液晶ライトバルブ２８Ｒについて説明する。図２に示すように、液晶ライトバルブ２８Ｒは、その素子基板上に画像表示領域Ａ、データ線駆動回路２００、走査線駆動回路３００を備える。画像表示領域Ａには、複数の画素回路Ｐ１がマトリクス状に形成されており、画素回路Ｐ１ごとに透過率を制御することができる。
ドライバＩＣ３０は、上述したように、アナログ赤色画像信号Ｒ４を液晶ライトバルブ２８Ｒに出力するが、このアナログ赤色画像信号Ｒ４は、１２相に相展開された信号であり、図２においては、画像信号ＶＩＤ１〜ＶＩＤ１２として記載している。ここでは説明を省略するが、アナログ緑色画像信号Ｇ４、アナログ青色画像信号Ｂ４についても同様である。
また、ドライバＩＣ３０は、上述したように、レベルシフトしたタイミング制御信号ＲＴ３を液晶ライトバルブ２８Ｒに出力するが、このタイミング制御信号ＲＴ３は、Ｘ転送開始パルスＤＸ、Ｘクロック信号ＸＣＫ、Ｙ転送開始パルスＤＹ、及びＹクロック信号ＹＣＫを含んでいる。図２においては、タイミング制御信号ＲＴ３の代わりに、Ｘ転送開始パルスＤＸ、Ｘクロック信号ＸＣＫ、Ｙ転送開始パルスＤＹ、及びＹクロック信号ＹＣＫとして記載している。ここでは説明を省略するが、タイミング制御信号ＧＴ３、タイミング制御信号ＢＴ３についても同様である。
【００２７】
ドライバＩＣ３０は、Ｘ転送開始パルスＤＸ及びＸクロック信号ＸＣＫをデータ線駆動回路２００に供給すると共に、Ｙ転送開始パルスＤＹ及びＹクロック信号ＹＣＫを走査線駆動回路３００に供給する。また、ドライバＩＣ３０は、画像データをシリアル−パラレル変換して相展開した画像信号ＶＩＤ１〜ＶＩＤ１２をデータ線駆動回路２００に供給する。画像信号ＶＩＤ１〜ＶＩＤ１２の時間軸は、画像データの時間軸と比較して１２倍に伸長されている。
【００２８】
図３に画像表示領域Ａの構成を示す。図３に示すように、画像表示領域Ａには、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極と、これら両電極間に挟持された液晶とによって構成される。この結果、走査線２とデータ線３との各交差に対応して、画素はマトリクス状に配列されることとなる。
また、ＴＦＴ５０のゲートが接続される各走査線２には、走査信号Ｙ１、Ｙ２、…、Ｙｍが、パルス的に線順次で印加される。このため、ある走査線２に走査信号が供給されると、当該走査線に接続されるＴＦＴ５０がオンするので、データ線３から所定のタイミングで供給されるデータ信号Ｘ１、Ｘ２、…、Ｘｎは、対応する画素に順番に書き込まれた後、所定の期間保持されることとなる。
【００２９】
各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、電気光学装置１００全体では、画像信号に応じたコントラストを持つ光が各画素毎に出射される。このため、所定の表示が可能となる。
また、保持された画像信号がリークするのを防ぐために、蓄積容量５１が、画素電極６と対向電極との間に形成される液晶容量と並列に付加される。例えば、画素電極６の電圧は、ソース電圧が印加された時間よりも３桁も長い時間だけ蓄積容量５１により保持されるので、保持特性が改善される結果、高コントラスト比が実現される。
【００３０】
図４にデータ線駆動回路２００の構成を示す。データ線駆動回路２００は、Ｘ転送開始パルスＤＸをＸクロック信号ＸＣＫに同期してシフトしてサンプリングパルスＳ１〜Ｓｚ（但し、ｚは２以上の自然数）を生成するシフトレジスタ２１０と、１２個の画像信号端子のいずれかと各々が接続された１２本の画像信号線Ｌａ１〜Ｌａ１２と、ｎ本のデータ線３のいずれかと接続されたｎ個のスイッチＳＷａとを備える。ｎ本のデータ線３は、１２本の画像信号線Ｌａ１〜Ｌａ１２のいずれかと各々がスイッチＳＷａを介して接続されている。また、ｎ本のデータ線３は、１２本ごとのブロックに分割されている。ｎ＝１２・ｚとすれば、ブロック数はｚとなる。各ブロックに対する１２個の第１スイッチＳＷａはスイッチ群Ｕ１〜Ｕｚを形成し、各スイッチ群Ｕ１〜ＵｚにサンプリングパルスＳ１〜Ｓｚが供給される。
【００３１】
図５に、走査線駆動回路３００とデータ線駆動回路２００のタイミングチャートを示す。走査線駆動回路３００は、１フレーム（１Ｆ）周期のＹ転送開始パルスＤＹを、Ｙクロック信号ＹＣＫに従って順次シフトして走査信号Ｙ１、Ｙ２、…Ｙｍを生成する。走査信号Ｙ１〜Ｙｍは各水平走査期間（１Ｈ）において順次アクティブとなる。データ線駆動回路２００は、水平走査周期のＸ転送開始パルスＤＸをＸクロック信号ＸＣＫに従って転送して、サンプリングパルスＳ１、Ｓ２、…Ｓｚを生成する。そして、データ線駆動回路２００は、画像信号ＶＩＤ１〜ＶＩＤ１２をサンプリングパルスＳ１、Ｓ２、…Ｓｚを用いてサンプリングしてデータ信号Ｘ１、Ｘ２、…Ｘｎを生成する。
【００３２】
《プロジェクタの光学系の概要》
図６は、本実施形態の電気光学装置１００が用いられる電子機器としてのプロジェクタ４００の光学系の構成を示す模式図である。なお、図６においては、液晶ライトバルブ２８Ｒ，２８Ｇ，２８Ｂを除いて電気光学装置１００の図示を省略している。
照明光学系４００１は、照明装置（光源）４００２からの出射光のうち赤色成分ｒを液晶ライトバルブ２８Ｒに供給し、緑色成分ｇを液晶ライトバルブ２８Ｇに供給し、青色成分ｂを液晶ライトバルブ２８Ｂに供給する。各液晶ライトバルブは、照明光学系４００１から供給される各単色光を表示画像に応じて変調する光変調器として機能する。投射光学系４００３は、各液晶ライトバルブからの出射光を合成して投射面４００４に投射する
投射光学系４００３は、クロスダイクロイックプリズム６０と、投写レンズ６１とを備えている。クロスダイクロイックプリズム６０は、４つの直角プリズムが貼り合わされた構造をなし、内部に、Ｇ光を透過しＢ光を反射する誘電体多層膜であるダイクロイック膜と、Ｇ光を透過しＲ光を反射する誘電体多層膜であるダイクロイック膜とがＸ字状に設けられている。
【００３３】
液晶ライトバルブ２８Ｒ，２８Ｇ，２８Ｂは、一辺が数センチメートルの略立方体形状をなしたクロスダイクロイックプリズム６０の３面に面して設けられている。また、各液晶ライトバルブ２８Ｒ，２８Ｇ，２８Ｂにおける光の入射面には入射偏光板が、投射光学系４００３に面した光の射出面には出射偏光板（いずれも図示せず）が、それぞれ設けられている。なお、出射偏光板は、クロスダイクロイックプリズム６０の各面にあらかじめ貼り付けられている構成であっても良い。
解像度に応じた複数の画素を備える液晶ライトバルブ２８Ｒ，２８Ｇ，２８Ｂに入射した各色光は、それぞれの色画像信号に応じて色光ごとの光学像を内包した各色変調光に変調され、それぞれクロスダイクロイックプリズム６０に射出される。
クロスダイクロイックプリズム６０は、液晶ライトバルブ２８Ｇからの緑色の変調光を透過し、当該緑色の変調光に液晶ライトバルブ２８Ｒからの赤色の変調光と、液晶ライトバルブ２８Ｂからの青色の変調光とを反射して重畳し、三原色の変調光を合成したフルカラーの画像を内包した変調光を投写レンズ６１に射出する。クロスダイクロイックプリズム６０から射出された変調光は、ガウスタイプなどの複数のレンズを組合せた広角ズームレンズである投写レンズ６１により、スクリーンなどの投射面４００４にフルカラーの画像として拡大投写される。
【００３４】
《ドライバＩＣにおけるアンプの構成》
次に、本実施形態におけるドライバＩＣ３０のアンプ３７の構成について図７及び図８を参照して説明する。図７はアンプ３７の構成を示すブロック図、図８はアンプ３７のうちアナログ赤色画像信号Ｒ４用のアンプ３７Ｒの構成を示す回路図である。アンプ３７Ｒはアンプ３７Ｇ，３７Ｂと同様の構成なので、アンプ３７Ｇ，３７Ｂについての説明は省略する。
【００３５】
図７に示すように、アンプ３７は、アナログ赤色画像信号Ｒ４用のアンプ３７Ｒと、アナログ緑色画像信号Ｇ４用のアンプ３７Ｇと、アナログ青色画像信号Ｂ４用のアンプ３７Ｂとを備えている。アンプ３７には、設定部３９が接続されている。設定部３９は、例えばレジスタ等から構成されており、設定部３９に記憶させたレジスタ値（調整値）に応じて、アンプ３７Ｒ，アンプ３７Ｇ，アンプ３７Ｂのそれぞれにおいて、並列接続するアンプの個数を設定することができる。なお、設定部３９のレジスタ値は、電気光学装置１００に接続したコンピュータ等の外部の装置により記憶させることができる。
【００３６】
図８に示すように、アンプ３７Ｒは、第１アンプ３７−１，第２アンプ３７−２，及び第３アンプ３７−３と、それぞれのアンプに接続された第１デジタルスイッチ３７−４，第２デジタルスイッチ３７−５，及び第３デジタルスイッチ３７−６を備えている。第１デジタルスイッチ３７−４，第２デジタルスイッチ３７−５，及び第３デジタルスイッチ３７−６のオンまたはオフは、設定部３９のレジスタ値により設定することが可能である。第１デジタルスイッチ３７−４，第２デジタルスイッチ３７−５，及び第３デジタルスイッチ３７−６の全てがオンの場合には、第１アンプ３７−１，第２アンプ３７−２，及び第３アンプ３７−３の３個のアンプが並列に接続された状態となる。第１デジタルスイッチ３７−４，及び第２デジタルスイッチ３７−５がオンの場合には、第１アンプ３７−１，及び第２アンプ３７−２の２個のアンプが並列に接続された状態となる。第１デジタルスイッチ３７−４のみがオンの場合には、第１アンプ３７−１のみが増幅に用いられる。本実施形態においては、このようにしてアンプ３７Ｒ，アンプ３７Ｇ，及びアンプ３７Ｂのそれぞれの駆動能力を変えることが可能な構成となっている。したがって、第１アンプ３７−１，第２アンプ３７−２，及び第３アンプ３７−３と、それぞれのアンプに接続された第１デジタルスイッチ３７−４，第２デジタルスイッチ３７−５，及び第３デジタルスイッチ３７−６は、駆動能力をアンプごとに調整する調整部として機能する。また、設定部３９は、前記調整部における調整値を設定する設定部として機能する。
【００３７】
図９は、電気光学装置１００の回路基板７０を示す平面図である。回路基板７０には、電気光学装置１００の回路が搭載されている。なお、本実施形態では、説明を簡単にするために、ドライバＩＣ３０、液晶ライトバルブ２８Ｒ，２８Ｇ，２８Ｂ、及び、ドライバＩＣ３０から液晶ライトバルブ２８Ｒ，２８Ｇ，２８Ｂのそれぞれへの配線長のみに符号を付して説明を行うこととする。
図９に示すように、本実施形態のドライバＩＣ３０は、ドライバＩＣ３０を構成する回路が一つのモールドの中に収容されてワンチップ化されている。ドライバＩＣ３０から各液晶ライトバルブまでの配線長は異なっている。ドライバＩＣ３０から液晶ライトバルブ２８Ｂまでの配線長ＬＢが最も長く、ドライバＩＣ３０から液晶ライトバルブ２８Ｒまでの配線長ＬＲが次に長く、ドライバＩＣ３０から液晶ライトバルブ２８Ｇまでの配線長ＬＧが最も短くなっている。
【００３８】
このようにドライバＩＣ３０から各液晶ライトバルブまでの配線長が異なる場合には、アンプにとって不可となる配線容量が異なることになり、書き込み特性等が変わってしまう。例えば、配線長が長いほど、図１０示す立ち上がり時間ｔｒ及び立ち下り時間ｔｆが長くなり、スルーレートが低下する傾向にある。また、配線長が長いほど、図１１に示すような到達電位に収束するまでのセトリング時間が長くなり、図１２に示すような入力信号に対する出力信号の遅延時間が長くなる傾向にある。
【００３９】
そこで、本実施形態では、電気光学装置１００の出荷時の初期調整として、ドライバＩＣ３０から各液晶ライトバルブまでの配線長を予め測定し、配線長に応じてアンプ３７Ｒ，アンプ３７Ｇ，及びアンプ３７Ｂのそれぞれにおいて並列接続するアンプの個数を決定し、その個数に応じて設定部３９にレジスタ値を記憶させるように構成した。例えば、図９の場合には、ドライバＩＣ３０から液晶ライトバルブ２８Ｂまでの配線長ＬＢが最も長いので、アンプ３７Ｂにおいては３個のアンプを並列接続する。また、ドライバＩＣ３０から液晶ライトバルブ２８Ｒまでの配線長ＬＲが次に長いので、アンプ３７Ｒにおいては２個のアンプを並列接続する。そして、ドライバＩＣ３０から液晶ライトバルブ２８Ｇまでの配線長ＬＧが最も短いので、アンプ３７Ｇにおいては１個のアンプのみを用いるように構成する。
したがって、アンプ３７Ｒ、アンプ３７Ｇ，及びアンプ３７Ｂは、各色に対応した画像信号を出力するアンプであって、駆動能力が前記配線長に応じてそれぞれ異なるアンプとして機能する。
【００４０】
本実施形態によれば、ドライバＩＣ３０から液晶ライトバルブの配線長に応じてアンプの駆動能力（スルーレート）を調整するように構成したので、書き込み特性等を、赤色の液晶ライトバルブ２８Ｒ、緑色の液晶ライトバルブ２８Ｇ、及び青色の液晶ライトバルブ２８Ｂにおいて揃えることができ、色バランスのばらつき等を低減させることができる。
【００４１】
＜変形例＞
本発明は、上述した実施形態に限定されるものではなく、例えば、以下に述べる各種の変形が可能である。また、実施形態及び各変形例を適宜組み合わせてもよいことは勿論である。
【００４２】
（１）上述した実施形態においては、アンプ３７Ｒ，３７Ｇ，３７Ｂのそれぞれにおいて、第１アンプ３７−１，第２アンプ３７−２，及び第３アンプ３７−３の３個のアンプを備えた例について説明したが、アンプの個数は適宜変更可能である。
【００４３】
（２）上述した実施形態においては、ドライバＩＣ３０に設定部３９を設けた例について説明したが、設定部３９はドライバＩＣ３０の外部に設けるようにしてもよい。また、設定部３９のレジスタ値は、外部の機器により記憶させる例について説明したが、電気光学装置１００の制御部１１により記憶させるようにしてもよい。さらに、設定部３９を設けずに、アンプ３７Ｒ，３７Ｇ，３７Ｂのそれぞれに備えるアンプの配線パターンをレーザー等により切断し、並列接続の個数を調整するようにしてもよい。
【００４４】
（３）上述した実施形態においては、アンプ３７におけるアンプ３７Ｒ，３７Ｇ，３７Ｂの駆動能力を液晶ライトバルブまでの配線長に応じて調整する例について説明したが、アンプ３８においても同様に構成してもよい。
【００４５】
（４）上述した実施形態においては、電子機器の例として、透過式の液晶ライトバルブを光変調装置として備えたプロジェクタについて説明したが、赤色光、緑色光、青色光用の３枚の反射型液晶表示装置を備えたプロジェクタであってもよい。また、電子機器は、複数の光変調装置を含む光学系と、スクリーンとを１つの個体内に備えたリアプロジェクタであってもよい。
【００４６】
（５）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElectroLuminescent）、無機ＥＬや発光ポリマーなどの発光素子を用いた表示パネルや、着色された液体と当該液体に分散された白色の粒子とを含むマイクロカプセルを電気光学材料として用いた電気泳動表示パネル、極性が相違する領域ごとに異なる色に塗り分けられたツイストボールを電気光学材料として用いたツイストボールディスプレイパネル、黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【符号の説明】
【００４７】
２…走査線、３…データ線、６…画素電極、１０…画像信号処理部、１１…制御部、１２…記憶部、１３…電源部、１４…クロック生成部、１６…画像信号コンバータ、１６ａ…スケーラ、１８…フレームメモリ、２０…画像信号補正部、２１…タイミング生成部、２２…ＯＳＤメモリ、２８Ｂ，２８Ｇ，２８Ｒ…液晶ライトバルブ、３５Ｒ，３５Ｇ，３５Ｂ…タイミング調整部、３６Ｒ，３６Ｇ，３６Ｂ…レベルシフト（Ｌ／Ｓ）部、３７…アンプ、３７−１…第１アンプ、３７−２…第２アンプ、３７−３…第３アンプ、３７−４…第１デジタルスイッチ、３７−５…第２デジタルスイッチ、３７−６…第３デジタルスイッチ、３７Ｒ，３７Ｇ，３７Ｂ…アンプ、３８…アンプ、３９…設定部、６０…クロスダイクロイックプリズム、６１…投写レンズ、７０…回路基板、８０…画像信号供給装置、９０…外部電源、１００…電気光学装置、２００…データ線駆動回路、２１０…シフトレジスタ、３００…走査線駆動回路、４００…プロジェクタ、４００１…照明光学系、４００３…投射光学系、４００４…投射面、Ａ…画像表示領域、Ｂ１，Ｂ２…青色画像信号、Ｂ３…デジタル青色画像信号、Ｂ４…アナログ青色画像信号、ＢＴ１，ＢＴ２，ＢＴ３…タイミング制御信号、Ｇ１，Ｇ２…緑色画像信号、Ｇ３…デジタル緑色画像信号、Ｇ４…アナログ緑色画像信号、ＧＴ１，ＧＴ２，ＧＴ３…タイミング制御信号、Ｒ１，Ｒ２…赤色画像信号、Ｒ３…デジタル赤色画像信号、Ｒ４…アナログ赤色画像信号、ＲＴ１，ＲＴ２，ＲＴ３…タイミング制御信号。
【図１】
2015219473.tif 000003
【図２】
2015219473.tif 000004
【図３】
2015219473.tif 000005
【図４】
2015219473.tif 000006
【図５】
2015219473.tif 000007
【図６】
2015219473.tif 000008
【図７】
2015219473.tif 000009
【図８】
2015219473.tif 000010
【図９】
2015219473.tif 000011
【図１０】
2015219473.tif 000012
【図１１】
2015219473.tif 000013
【図１２】
2015219473.tif 000014